(57)【特許請求の範囲】
【請求項１】
単位使用量の化粧品サンプルであって、カバーフィルムと、あるパターンで前記カバーフィルム上に印刷され、化粧製品を含有する、単位使用量の化粧品調製物と、前記カバーフィルムにシールされた保護用裏打ち材とを具備したものにおいて、
前記保護用裏打ち材は、裏打ち基材の表面に設けた塗布具材を備え、
前記塗布具材は、エンボス及び／又はデボス加工されたパターンで前記裏打ち基材に形成され、
前記保護用裏打ち材は、前記化粧品調製物の側に向いた塗布具材と共に、前記カバーフィルムにシールされたものであることを特徴とする化粧品サンプル。
【請求項２】
前記塗布具材は、網目状発泡体、非網目状発泡体、コットン、ナイロン、アクリル、及びこれらの組合わせからなるグループから選択された材料を備えたものであることを特徴とする請求項１に記載の化粧品サンプル。
【請求項３】
前記塗布具材は、前記化粧品調製物側に向いた前記裏打ち基材の全表面に亘って、連続層をなして設けられているものであることを特徴とする請求項１に記載の化粧品サンプル。
【請求項４】
前記カバーフィルムは、少なくとも一つの透明又は半透明の窓を有し、該窓を介して前記化粧品調製物が目視できるように構成されたことを特徴とする請求項１に記載の化粧品サンプル。
【請求項５】
前記カバーフィルムは、エンボス加工されてパターンの形の窪みを形成し、前記化粧品調製物が窪みに印刷されたものであることを特徴とする請求項１に記載の化粧品サンプル。
【請求項６】
塗布具裏打ち材を有する化粧品サンプルの製造方法であって、
化粧製品調製物を形成する手順と、
少なくとも一つの明確な区画を有し、且つ十分に輪郭を画定されたパターンでもって、前記化粧品調製物をカバーフィルムであるプラスチックフィルム上に印刷する手順と、
裏打ち基材を有する保護用裏打ち材を設ける手順と、前記塗布具材を前記化粧品調製物の側に向いた前記裏打ち基材の表面にエンボス及び／又はデボス加工されたパターンで前記裏打ち基材に設ける手順と、
前記保護用裏打ち材をカバーフィルムにシールする手順と、を含んだことを特徴とする化粧品サンプルの製造方法。
【請求項７】
更に塗布具材を前記裏打ち基材に設けた後に前記保護用裏打ち材を所望の形状にダイカットするステップ、を有するものを特徴とする請求項６に記載の化粧品サンプルの製造方法。
【請求項８】
前記カバーフィルムは、エンボス加工され、パターンの形をした窪みを形成し、前記化粧品調製物がその窪みに印刷されるものであることを特徴とする請求項６に記載の化粧品サンプルの製造方法。
【請求項９】
前記プラスチックフィルムはアモルファスポリエステル、共重合ポリエステル、ＰＶＣ、ＰＥＴ、ポリカーボネイト、高密度ポリエチレン、ポリプロピレン、高衝撃ポリスチレン、又はこれらの誘導体から選択されることを特徴とする請求項６に記載の化粧品サンプルの製造方法。
【請求項１０】
前記カバーフィルム１は、０．５から１２．０ミルの厚さを有することを特徴とする請求項６に記載の化粧品サンプルの製造方法。
【請求項１１】
前記化粧製品はワックス系の製品であり、製品用バルクに溶融ワックスが加えられ増量された混合物をペースト状に加工することを特徴とする請求項６に記載の化粧品サンプルの製造方法。
【請求項１２】
前記保護用裏打ち材を前記カバーフィルムにシールする手順の前に、前記カバーフィルムに周辺接着剤を設ける手順を有することを特徴とする請求項６に記載の化粧品サンプルの製造方法。
【請求項１３】
前記シールする手順は、熱シール方法、溶融ハーメチックシール方法、又はソニックシール方法から選択された方法により行われることを特徴とする請求項６に記載の化粧品サンプルの製造方法。
【請求項１４】
前記塗布具材は、織込んだ繊維、網目状発泡体または非網目状発泡体から選択された材料を含むものであることを特徴とする請求項６に記載の化粧品サンプルの製造方法。
【請求項１５】
前記塗布具材を前記裏打ち基材に設ける手順は、接着剤を前記裏打ち基材上に印刷することを含むことを特徴とする請求項１４に記載の化粧品サンプルの製造方法。
【請求項１６】
前記塗布具材を前記裏打ち基材に設ける手順は、前記塗布具材を前記裏打ち基材に載置することを含むことを特徴とする請求項１５に記載の化粧品サンプルの製造方法。
【請求項１７】
前記塗布具材を前記裏打ち基材に設ける手順は、静電気を利用し、前記裏打ち基材上に繊維織物を付着し前記塗布具材を形成することを特徴とする請求項１６に記載の化粧品サンプルの製造方法。
【請求項１８】
前記化粧品調製物を前記プラスチックフィルム上に印刷する前記手順は、スクリーン印刷、フレクソグラフィー又はリソグラフィーから選択された方法であることを特徴とする請求項６に記載の化粧品サンプルの製造方法。
【発明の詳細な説明】
【０００１】
【発明の属する技術分野】
本発明は、化粧品サンプルに関し、より詳しくは、化粧品のサンプルを提供する、単位使用量又は一回の使用のための使い捨てパッケージに関する。
【０００２】
【従来の技術】
一般に、デパートでの試供品用の化粧品は、製品として売られる容器そのもの又は同じ容器を小型化したものに入れた形で利用されている。この方法は、香水製品に関しては、概して、問題なく行われており、その場合には、製品が消費者の肌に噴霧されることで用いられるので、製品の容器は人に触れられることはない。しかしながら、このような方法は、化粧品を市場で商うに際しては、効果的ではない。なぜならば、多くの消費者は、他人がそこから既に試供した容器から製品を試供することに関しては、病気や感染症にかかることを恐れるので、不快感を感じるためである。
【０００３】
従来、宣伝パンフレットや郵便物、例えばデパートの宣伝広告や雑誌の綴じ込みを使って、化粧品を商うためのより安価で便利な方法が提案されてきた。このような試供品扱いの一例は、化粧品の「板状小片」であり、フェローズ（Ｆｅｌｌｏｗｓ）氏らに特許された米国特許第４７５２４９６号に開示されているように、基板上に堆積された化粧品サンプルを紙製の保護材で覆ったものである。しかしながら、このような「板状小片」は、意匠パターンを使って化粧品サンプルを紹介することを念頭においておらず、単一のデザインの中に数多くの色調を同時に提供することも意図していない。
【０００４】
他の例として、レヴァイン（Ｌｅｖｉｎｅ）氏らに特許された米国特許第４８８４７１９号には、基板上に堆積された製品が透明な被覆材で被覆されている化粧品サンプラーが開示されている。この発明では、消費者はパッケージになんら手を付けずとも製品の色を十分に目視することができるが、このサンプルは、その２層の間で裏移りや汚れがおきてしまい、製品サンプルの意匠パターンをだいなしにしてしまう。
【０００５】
グレインジャー（Ｇｒａｉｎｇｅｒ）氏らに特許された米国特許第４８２４１４３号には、この裏移りの問題に対処する試みがなされている。このサンプラーパッケージでは、透明な半球状の挿入物が製品サンプルを覆って窓の形で配置されている。このパッケージでは、製品を目視する半球状のものの周りに、多くのパネル及び窓状切り抜きが形成されている。しかし、この発明は、形態が複雑で、消費者が使うのには厄介である。その上、このサンプラーは、比較的寸法がかさばるので、郵便での綴じ込みや雑誌での頒布には適していない。
【０００６】
サンプル製品が塗布具を必要とする、例えば、粉末化粧品やほお紅のような場合、消費者は、しばしば自身の指を使ってサンプルを塗布しなければならない。これは、パーロッタ（Ｐａｒｒｏｔｔａ）氏らに特許された米国特許第５０７２８３１号に開示されているサンプラーのような場合においてである。勿論、この欠点は、塗布する時に汚れるということである。
【０００７】
上記した問題は、クリーム、口紅、香水、調合薬、ローション、及び、高粘性ワックス状の材料からなる他のタイプの各種サンプルの頒布で生じている。
【０００８】
【発明が解決しようとする課題】
上述したように、上記従来の米国特許第４７５２４９６号や米国特許第４８８４７１９号に記載による化粧品サンプルでは、意匠パターン使った化粧品サンプルには適さず、また単一のデザインの中に数多くの色調を同時に提供することも意図しておらず、さらにその構造から２層の間で裏移りや汚れがおきてしまい、製品サンプルの意匠パターンをだいなしにしてしまうという問題点があった。この裏移りの問題を解消するための試みとして、米国特許第４８２４１４３号に記載の提案によって改善がなされているが、その実施の形態が複雑であるため、消費者が使うのには厄介でり、またその上、この化粧品サンプルは比較的寸法がかさばるので、郵便での綴じ込みや雑誌での頒布には適していないという問題点もあった。さらに、米国特許第５０７２８３１号に記載のよる化粧品サンプルでは、サンプル製品を使用する場合には、塗布具が必要であるが、塗布具がない場合には、消費者はしばしば自信の指を使ってサンプルを塗布しなければならず、指が汚れてしまうという問題点があった。
【０００９】
そこで、本発明は上記問題点に鑑みてなされたもので、簡単な構成でサンプルの種類に関わらず裏移りや汚れが発生せずに意匠パターンを保持することができ、１回分の単位使用量が十分に得られ且つ低コストで使用方法も容易な使い捨てパッケージとして最適な化粧品サンプルの提供を目的とする。
【００１０】
また、本発明は塗布具を内蔵した構造とすることにより、消費者自身の指で塗布することなくサンプルをその塗布具で塗布することのできる化粧品サンプルの提供を他の目的とする。
【００１１】
【課題を解決するための手段】
本発明の化粧品サンプルは、単位使用量の化粧品サンプルであって、カバーフィルムと、あるパターンでカバーフィルム上に印刷され、化粧製品を含有する、単位使用量の化粧品調製物と、カバーフィルムにシールされた保護用裏打ち材とを具備したものにおいて、前記保護用裏打ち材は、裏打ち基材の表面に設けた塗布具材を備え、且つ化粧品調製物の側に向いた塗布具材と共に、カバーフィルムにシールされたものであることを特徴とするものである。
【００１２】
この発明によれば、化粧品を含有する、単位使用量の化粧品調整物があるパターンでカバーフィルム上に印刷され、さらに保護用裏打ち材が該カバーフィルムにシールされるようにして化粧品サンプルを構成しているので、サンプルの種類に関わらず裏移りや汚れが発生せずにその化粧品調整物の意匠パターンを保持することができる。また、保護用裏打ち材によって使用以前にカバーフィルム上に印刷された化粧品調製物を確実に保護することができ、使用する場合には、カバーフィルム又は保護用裏打ち材を剥がすだけで良いので、使用方法も容易である。また、化粧品調整物がカバーフィルム上に印刷されるようになっているので、１回分の単位使用量を十分に得ることも可能である。さらに、前記保護用裏打ち材は、裏打ち基材の表面に設けた塗布具材を備え、且つ化粧品調製物の側に向いた塗布具材と共にカバーフィルムにシールされた構成となっていることから、消費者自身の指を用いることなく化粧品サンプルをその塗布具で塗布することができる。よって、簡単な構成で実施できるので、低コストで使用方法も容易な使い捨てパッケージとして最適な化粧品サンプルの提供が可能となる。
【００１３】
本発明の化粧品サンプルの製造方法は、塗布具裏打ち材を有する化粧品サンプルの製造方法であって、化粧製品の調製物を形成する手順と、少なくとも一つの明確な区画を有し、且つ十分に輪郭を画定されたパターンでもって、化粧品調製物をプラスチックフィルム上に印刷する手順と、裏打ち基材を有する保護用裏打ち材を設ける手順と、前記塗布具材を裏打ち基材の表面に設ける手順と、前記保護用裏打ち材をフィルムにシールする手順と、を含んだことを特徴とするものである。
【００１４】
この本発明によれば、上記発明の化粧品サンプルを製造することが可能となり、したがってその作用及び効果は上記発明と同様である。
【００１５】
【発明の実施の形態】
以下、図面を参照して本発明の実施の形態を説明する。
【００１６】
図１及び図２は本発明の化粧品サンプルの一実施の形態を示し、図１は化粧品サンプルの横断面図、図２は化粧品サンプルの分解平面図、図３及び図４は本発明の化粧品サンプルの他の実施の形態を示し、図３は化粧品サンプルの上面図、図４は図３に示されたカバーフィルム１の底面図である。
【００１７】
図１に示したこの発明の実施例は、透明又は半透明のカバーフィルム１を有しており、それに対して化粧品のサンプルが所望のパターン若しくはデザイン１０でもってその底面Ｂに図３のように印刷されている。保護用裏打ち層４が、化粧品２の周りでフィルム１に対してシール若しくは張り合わされ、消費者によって使用されるまで被覆してそのサンプルを保護する。
【００１８】
保護用裏打ち材４は、また化粧品サンプルの塗布具として機能するようにも設計されており、裏打ち基材５の表面を覆う塗布具材６を含んでいる。保護用裏打ち材４は、化粧品サンプル２側に向いた塗布具材６と共にカバーフィルム１にシールされている。
【００１９】
カバーフィルム１は、０．５から１２．０ミルの厚さを有した柔軟なプラスチックシート又は熱成形フィルムのいずれとすることができ、例えば、アモルファスポリエステル、共重合ポリエステル、ＰＶＣ、ＰＥＴ、ポリカーボネイト、高密度ポリエチレン、ポリプロピレン、高衝撃ポリスチレン、又はこれらの誘導体のものが用いられるが、好ましくは、フィルム４は、商標「マイラー」（ＭＹＬＡＲ）のような処理されたポリエステル樹脂フィルムから形成される。
【００２０】
カバーフィルム１の上面Ａは、少なくとも一つの窓８が印刷されており、その窓を通してサンプル２の色が目視される。この窓８は、いかなる形状、パターン又はデザイン１０のものとすることができ、例えば、図３に示されているように、上下一対の唇の形をした一対の窓のようにすることができる。
【００２１】
図３に示した例では、カバーフィルム１には、上下一対の唇の陰画でもって印刷がされており、唇の形をした窓８は透明のままに残り、カバーフィルム１の他の部分は印刷物でブロックされている。この方法では、製品のいくつかの暗度又は色彩を一つのサンプルに表示することができ、各色彩は、一つの窓を占めている。更に、カバーフィルム１は、不透明及び透明の両部分にコピープリント、例えば、製品の名称を付したり使用方法を記したりするためのものを含むことができる。あるいは、カバーフィルム１は半透明とし、窓を設けず上面Ａにコピープリントを設けることもできる。
【００２２】
化粧品サンプル（製品サンプル）２は、各窓８の反対側の部分のフィルムの底面Ｂに、図４のように、対応する窓より僅かに大きい面積で印刷されている。各デザイン又はパターン部分の周縁は、窓の縁部の後ろに隠されるので、色調とデザインの鮮明なプレゼンテーションを可能にしている。従って、印刷された化粧品サンプル２の周縁部のふぞろい又は化粧品の位置ずれは、カバーフィルム１の上面Ａからは見えない。好ましくは、化粧品サンプルは、カバーフィルム１上にスクリーン印刷される。尤も、他の印刷方法、例えば、フレクソグラフィー又はリソグラフィーを用いることができる。更なる他の例では、カバーフィルム１には、エンボス加工によって所望のパターンの形をした窪みを形成することができ、化粧製品はそこに堆積される。
【００２３】
頒布する化粧品サンプル２が、プレスコンパクト、アイシャドウや頬紅のような粉体系の製品である場合に、この発明を実施する好適なプロセスにおいては、カバーフィルム１は、スクリーン印刷機を通され、所望の数多くの化粧品２の色合いをもって印刷され、印刷による形状の配置が可能である。これらの堆積された化粧品は、その形状及び大きさが事実上印刷機のとおりとすることができ、互いに近接して見当あわせをすることができる。一例では、マジェステック社からの中間の粗さのメッシュ（１２５本／１インチ）及びデュロメータ硬度８０から８５のスキージを使って、フィルム上に化粧品が堆積される。このメッシュは、平滑なスクリーン形成するような、極めて細い番手の糸を有し開口面積の高い比率を持ったものである。
【００２４】
この化粧品スラリーは、粉体の化学的性質と相溶性を有する溶剤で湿潤化させることで作成される。例えば、十分に湿潤する無機顔料を有した真珠光沢のあるアイシャドーは、エチルアルコールやイソプロピルアルコールなどの蒸発性の溶剤と共に用いられる。粗いスクリーンと潤滑性の低い粉体が同時に使われる場合は、グリセリンやシリコーン油などの追加の湿潤剤や潤滑剤をスラリーに添加することができる。スラリーの粘度と加えられる溶剤の量は、個々の粉体に応じて調整されなければならない。潤滑剤又は湿潤剤の量とその選択も同様であるが、望ましくは、潤滑剤の量は５％未満に保っておくべきである。スラリーをスクリーン印刷した後、溶剤が蒸発し化粧品２のサンプルがフィルム１の上に残される。
【００２５】
保護用裏打ち材４の基材５は、板紙、紙、又はプラスティックから構成することができ、この基材に対して、例えば、ポリプロピレン、ポリエチレン、マイラー（Ｍｙｌａｒ、商標）、高衝撃ポリスチレン、又はこれらの誘導体のポリマーフィルムでコーティングすることができる。
【００２６】
保護用裏打ち材４は、更に、化粧品サンプル２の側に向いた基材５の表面を被覆する塗布具材６を含む。塗布具材６は、図２に示されるように、エンボス／デボス加工されたパターン９の形で、裏打ち基材５の上に載置される。塗布具材をあるパターンにして用いることで、塗布具材と裏打ち基材との接着力が向上し、そのため、塗布具材は、裏打ち材とフィルムを分離したために使用中に基材から離脱してしまうということはない、ということが判明した。更にまた、パターンを付与された塗布具６は、使用に当たって化粧品サンプルをより均一に塗布する。
【００２７】
ある実施例では、接着剤７が、保護用裏打ち基材４上に印刷される。コットン、ナイロン、アクリル、又はこれらを組合わせたものがチャンバーに導入され、静電気を利用し、基材上にフロック加工で付着される。フロック加工を使うことで、繊維織物が、選択された見当又はパターンの形で付着し塗布具を形成する。塗布具は、その製造ユニットに付着した状態で所望のパターンにダイカットされる。また任意に採用し得る手段として、塗布具の裏打ち材を、更にダイカットの形にエンボス加工することもできる。他の実施例では、塗布具材は、織込んだ繊維又は網目状若しくは非網目状の発泡体を含むことができ、また、張合わせによって保護用裏打ち基材４に貼着することができる。
【００２８】
次に、周辺の接着剤３がカバーフィルム１上にプリントされ、塗布具裏打ち材４が、印刷されたフィルム１に、塗布具面６を化粧品サンプルに向けて積層される。接着剤３は、好ましくは、必須というわけではないが、感圧タイプのものである。この発明に適合する接着剤の他の型には、嫌気性の接着剤、自己架橋性の接着剤、紫外線硬化性の接着剤、又は熱硬化性の接着剤があり、接着剤は蒸発によって簡単に乾燥させることができる。あるいはまた、塗布具裏打ち材４をカバーフィルム１に対して、熱又は溶融によるハーメチックシール又はソニックシールなどの他の方法を用いてシールすることができ、これは更に、上記した接着剤と共に又は接着剤なしで行なうことができる。
【００２９】
化粧品サンプルを調製するためのこの発明の好適な実施例によるスクリーン印刷手法の技術は、アイシャドーや他の無機顔料粉体のサンプル用に限定されるものではない。有機顔料粉体もまたサンプルとすることができるが、このときは、溶剤系を調製することにより、また、必要ならば、有機顔料が液体媒体の中で顕色する傾向に対してこれを補償するために顔料充填材を減らすことにより行なう。このような技術は、例えば、ほお紅の試供品を可能にする。この発明は、更に、液体を含まない油性製品、例えば口紅、日焼け止めスティック、スティック状消臭材、又は液体を含まないあらゆる医薬製品などをサンプルとする場合にも適用できる。
【００３０】
化粧サンプルが、口紅等のワックス系の製品の場合、サンプルをカバーフィルム１の上にスクリーン印刷する効果的な方法は、以下のとおりである。なお、この方法は、口紅のスクリーン印刷に適用されているが、ワックス系のいかなる製品に対しても同様に適用することができる。
【００３１】
先ず、口紅製品用バルクを、約１９５゜乃至２０５゜Ｆ範囲の融点を超える温度に加熱し、最高の融点を有するワックスの分散及び口紅材の均一化を確実にする。次いで、調合原料には、溶融ワックス及びその他の添加剤が加えられ、均一になるまで攪拌され増量されるが、その溶融状態のまま、ステンレススティール製のジャケットの付いた釜若しくは適当な大きさのプラスティック容器の中に注がれる。その後、混合物は冷却されて元の固形状に戻される。調合原料に追加のワックスを導入する目的は、口紅が爾後の環境に曝されたときに溶融したり、油分を滲み出したりしないようにするためである。
【００３２】
冷却後、混合物は、印刷できない硬質なワックス状の産品である。それゆえ、次のステップは、混合物をペースト状の粘稠度のものに変えるが、それには、ロールミルや遊星歯車式のミキサーによるなど、粉砕やせん断を行なう従来から知られた方法を用いる。
【００３３】
ペースト状に加工されたバルクは、室温でスクリーン印刷にかけられ、上記したように、カバーフィルム１の底面の上にあるパターンで印刷される。
【００３４】
印刷されたペーストの形にある素材は、未だ口紅にはなっていないので、約１９５゜乃至２００゜Ｆに加熱して再溶融させ、冷却後口紅を形成させる。印刷された口紅の物理的性状は、光って光沢があり、液化状態である。
【００３５】
一つの選択手段として、口紅が熱や圧力といった環境条件に曝されたときでもその完成状態を維持していくことを確実にするため、印刷された口紅の上に保護用オーバーコート（図示せず）を塗布することができる。米国特許第５５６２１１２号に開示されているように、このオーバーコートは、印刷された口紅と正確に同じパターンに印刷され、その役割として、口紅の完成状態を維持するためのみならず、製品が塗布具裏打ち材４に移行するのを防ぐ。
【００３６】
オーバーコート材は、溶剤系から印刷される一連のポリマーの中から、急速な乾燥と口紅表面上への均一なフィルム形成を達成するように、選択される。オーバーコートは、エヤーナイフや流動する室温空気を用いて均一なフィルムに乾燥される。セルロース誘導体、ポリビニールピロリドン、ピロリドンエステル混合体、アクリル、ニトロセルロースをベースとしたポリマー系が、ある程度の効果を有することが示されている。しかし、オーバーコートとして選択される材料は、商標「ノートックス」（ＮＯ´ＴＯＸ）のものであり、これはペンシリバニア州フィラデルフィアのコロルコン社（Ｃｏｌｏｒｃｏｎ Ｉｎｃｏｒｐｏｒａｔｅｄ）から出されている。
【００３７】
なお、本発明は、上記実施の形態に関して説明がなされたが、数多くの他の変形と修正及び他の用途については、この分野の当業者には明らかであろう。それゆえ、この発明は、ここでの特定の開示によって限定されるものではなく、添付の請求範囲によってのみ限定される。
【００３８】
【発明の効果】
以上、説明したように本発明によれば、簡単な構成でサンプルの種類に関わらず裏移りや汚れが発生せずに意匠パターンを保持することができ、化粧品サンプルの１回分の単位使用量も十分に得ることが可能である。また、化粧品サンプルの色も目視することができ、使用方法も容易で且つ低コストで構成することもできる。さらに、保護用裏打ち材は、裏打ち基材の表面に設けた塗布具材を備え、且つ化粧品調製物の側に向いた塗布具材と共にカバーフィルムにシールされた構成となっていることから、消費者自身の指を用いることなく化粧品サンプルをその塗布具で塗布することも可能である。よって、消費者とって従来にはない使い捨てパッケージとして最適な化粧品サンプルの提供が可能となる。
【図面の簡単な説明】
【図１】本発明の化粧品サンプルの一実施の形態を示す横断面図。
【図２】図１の化粧品サンプルの分解平面図。
【図３】本発明の化粧品サンプルの他の実施の形態を示す上面図。
【図４】図３に示されたフィルム１の底面図。
【符号の説明】
１…カバーフィルム、
２…化粧品サンプル、
３，７…接着剤、
４…保護用裏打ち材、
５…基材、
６…塗布具材、
８…窓。
１０…デザイン（パターン）。
【図１】
0004308976.tif 000002
【図２】
0004308976.tif 000003
【図３】
0004308976.tif 000004
【図４】
0004308976.tif 000005